(57)【特許請求の範囲】
【請求項１】
物干し竿を保持する竿掛部材と、
前記竿掛部材を下端部に固定し、長手方向に沿って伸縮自在にされた支柱と、
前記支柱の伸縮を規制する規制部材と、
前記支柱の上端を物干し位置上面に対して着脱自在に保持する装着部材と、
前記支柱の下端部に配置され、単一の操作方向への操作を受け付ける操作部材と、
前記操作部材に対する操作力を前記規制の解除力として前記規制部材に伝達する第１の伝達部材と、
前記支柱が最も収縮した状態おける前記操作部材に対する操作力を前記保持の解除力として前記装着部材に伝達する第２の伝達部材と、
を備えた伸縮型物干し装置。
【請求項２】
前記支柱は、下端部に前記竿掛部材が固定されるとともに前記操作部材を備えた内側支柱と、内部に前記内側支柱を前記長手方向に沿って移動自在に収納する外側支柱と、からなり、
前記規制部材は、前記外側支柱の側面に前記長手方向に沿って形成された複数の伸縮用孔部と、前記複数の伸縮用孔部の何れかに嵌入する第１の露出位置と前記内側支柱の内部の第１の退避位置との間を前記長手方向に直交する方向に沿って移動自在にして前記内側支柱に保持された伸縮用ラッチと、からなり、
前記装着部材は、前記外側支柱の側面の上端部に形成された着脱用孔部と、前記着脱用孔部に嵌入する第２の露出位置と前記外側支柱の内部の第２の退避位置との間を前記長手方向に直交する方向に沿って移動自在にして前記装着部材に保持された着脱用ラッチと、からなり、
前記第１の伝達部材は、前記操作部材に対する操作力を前記伸縮用ラッチの前記第１の露出位置から前記第１の退避位置への移動力として伝達し、
前記第２の伝達部材は、前記内側支柱が前記外側支柱内で前記長手方向の最も上部に位置している時に、前記操作部材に対する操作力を前記着脱用ラッチの前記第２の露出位置から前記第２の退避位置への移動力として伝達する請求項１に記載の伸縮型物干し装置。
【請求項３】
前記操作部材は、前記長手方向に沿う方向の操作を受け付け、
前記第１の伝達部材は、前記伸縮用ラッチに係合して前記長手方向に移動自在にされた第１の傾斜カムであって前記操作部材の操作力が前記長手方向の移動力として伝達される第１の傾斜カムを含み、
前記第２の伝達部材は、前記着脱用ラッチに係合して前記長手方向に移動自在にされた第２の傾斜カムであって前記内側支柱が前記外側支柱内で前記長手方向の最も上部に位置している状態で前記第１の傾斜カムの前記長手方向の移動が伝達される第２の傾斜カムを含む請求項２に記載の伸縮形物干し装置。
【請求項４】
前記伸縮用ラッチと前記着脱用ラッチとが同一の形状を呈し、前記第１の傾斜カムと前記第２の傾斜カムとが同一の形状を呈する請求項３に記載の伸縮型物干し装置。
【請求項５】
前記伸縮用ラッチの上面に外側に向かって高さが減少する傾斜面を形成し、前記着脱用ラッチを前記長手方向に直交する方向について前記伸縮用ラッチと対称となる形状とした請求項４に記載の伸縮型物干し装置。
【発明の詳細な説明】
【技術分野】
【０００１】
この発明は、ベランダの天井面等の物干し位置上面に着脱自在に取り付けられ、物干し竿の保持位置を上下に変位自在にした伸縮型物干し装置に関する。
【背景技術】
【０００２】
ベランダ等の物干し位置で物干し竿を保持する装置として、ベランダの天井面等の物干し位置上面に上端部を固定した伸縮自在の支柱の下端部に物干し竿を保持する竿掛部材を備えたものがある。物干し竿を竿掛部材に保持させる際や洗濯物を物干し竿に掛ける際には、支柱を伸長させて竿掛部材を下方に位置させる。物干し竿に掛け終えた洗濯物を干す際には、通風等を考慮して支柱を所望の長さに収縮させ、竿掛部材を上方に位置させる。不使用時には、支柱を最も収縮させて竿掛部材を最上部に位置させることで、竿掛部材の下方を人や物が通過できる状態になる。
【０００３】
さらに、従来の伸縮型物干し装置では、支柱を物干し位置上面に着脱自在に取り付け、
不使用時に竿掛部材を支柱とともに取り外すことで、ベランダ等の物干し位置での人や物の移動をより容易にできるようにしたものもある。例えば、支柱の下部に把手を設け、把手の上下方向の操作によって支柱の伸縮の規制を解除し、把手の回転方向の操作によって支柱の保持を解除するようにした構成が開示されている（例えば、特許文献１参照。）。
【特許文献１】特開２００８−６１１９号公報
【発明の開示】
【発明が解決しようとする課題】
【０００４】
しかし、従来の伸縮型物干し装置では、支柱を伸縮させるための機構とは別に支柱を着脱するための機構が設けられており、支柱を着脱する際には支柱を伸縮させる際の操作と異なる操作が必要で、構造が複雑化するとともに操作が煩雑になり、誤操作を生じる可能性がある。
【０００５】
この発明の目的は、支柱が最も収縮した状態では、支柱を伸縮させる際と同一の操作によって支柱の保持を解除させるようにし、構造を簡略化できるとともに操作を容易化することができる伸縮型物干し装置を提供することにある。
【課題を解決するための手段】
【０００６】
この発明の伸縮型物干し装置は、竿掛部材、支柱、規制部材、装着部材、操作部材、第１の伝達部材及び第２の伝達部材を備えている。竿掛部材は、物干し竿を保持する。支柱は、竿掛部材を下端部に固定し、長手方向に沿って伸縮自在にされている。規制部材は、支柱の伸縮を選択的に規制する。装着部材は、支柱の上端を物干し位置上面に対して着脱自在に保持する。操作部材は、支柱の下端部に配置され、単一の操作方向への操作を受け付ける。第１の伝達部材は、操作部材に対する操作力を規制の解除力として規制部材に伝達する。第２の伝達部材は、支柱が最も収縮した状態おける操作部材に対する操作力を保持の解除力として装着部材に伝達する。
【０００７】
この構成により、操作部材を操作すると、規制部材よる支柱の伸縮の規制が解除される。この操作部材の操作を支柱が最も収縮した状態で行うと、装着部材による支柱の保持が解除される。したがって、単一の操作部材の単一の操作方向への操作で、支柱の伸縮状態に応じて支柱の伸縮、又は支柱の着脱が行われる。
【０００８】
この構成において、支柱は、下端部に竿掛部材が固定されるとともに操作部材を備えた内側支柱と、に前記内側支柱を前記長手方向に沿って移動自在に収納する外側支柱と、から構成してもよい。この場合に、規制部材は、外側支柱の側面に前記長手方向に沿って形成された複数の伸縮用孔部と、複数の伸縮用孔部の何れかに嵌入する第１の露出位置と内側支柱の内部の第１の退避位置との間を長手方向に直交する方向に沿って移動自在にして知側支柱に保持された伸縮用ラッチと、から構成する。また、装着部材は、外側支柱の側面の上端部に形成された着脱用孔部と、着脱用孔部に嵌入する第２の露出位置と外側支柱の内部の第２の退避位置との間を長手方向に直交する方向に沿って移動自在にして装着部材に保持された着脱用ラッチと、から構成する。さらに、第１の伝達部材は操作部材に対する操作力を伸縮用ラッチの第１の露出位置から第１の退避位置への移動力として伝達するものとし、第２の伝達部材は内側支柱が前記外側支柱内で前記長手方向の最も上部に位置している時に操作部材に対する操作力を着脱用ラッチの第２の露出位置から第２の退避位置への移動力として伝達するものとする。
【０００９】
入れ子状の外側支柱と内側支柱とで支柱を構成した場合、操作部材を操作することで、内側支柱に保持された伸縮用ラッチを外側支柱の複数の伸縮用孔部の何れかに選択的に嵌入させ、支柱の長さを調整することができる。また、内側支柱を最も上方に移動させた状態で操作部材を操作することで、装着部材に保持された着脱用ラッチを外側支柱の着脱用孔部から退避させて装着部材から支柱を取り外すことができる。
【００１０】
また、操作部材が長手方向に沿う操作方向の操作を受け付けるものとしてもよい。この場合に、第１の伝達部材を、伸縮用ラッチに係合して長手方向に移動自在にされた第１の傾斜カムであって操作部材の操作力が長手方向の移動力として伝達される第１の傾斜カムを含むものとする。また、第２の伝達部材を、着脱用ラッチに係合して長手方向に移動自在にされた第２の傾斜カムであって内側支柱が外側支柱内で長手方向の最も上部に位置している状態で第１の傾斜カムの長手方向の移動が伝達される第２の傾斜カムを含むものとする。
【００１１】
操作部材の長手方向に沿う操作方向の操作を、第１の傾斜カム及び第２の傾斜カムを介して長手方向に直交する方向の移動力として伸縮用ラッチ及び着脱用ラッチに伝達することができる。
【００１２】
さらに、伸縮用ラッチと着脱用ラッチとを同一の形状とし、第１の傾斜カムと第２の傾斜カムとを同一の形状としてもよい。部品の共通化によって、コストダウンを実現できる。
【００１３】
加えて、伸縮用ラッチの上面に外側に向かって高さが減少する傾斜面を形成し、着脱用ラッチを長手方向に直交する方向について伸縮用ラッチと対称となる形状としてもよい。内側支柱を上昇させる際には、傾斜面における伸縮用孔部との当接により、操作部材の操作によらずに伸縮用ラッチを伸縮用孔部から退避させて規制を解除することができる。また、外側支柱を装着部に装着する際には、傾斜面における着脱用孔部との当接により、操作部材の操作によらずに着脱用ラッチを着脱用孔部に嵌入させることができる。
【発明の効果】
【００１４】
この発明によれば、支柱が最も収縮した状態で支柱を伸縮させる際と同一の操作によって支柱の保持を解除させることができ、構造を簡略化できるとともに操作を容易化することができる
【発明を実施するための最良の形態】
【００１５】
図１は、この発明の実施形態に係る伸縮形物干し装置の支柱を最も伸長させた状態の舐め下方から見た外観図である。伸縮型物干し装置１０は、外側支柱１、内側支柱２、竿掛部材３、操作部材４、台座１５、装着部材６を備えている。
【００１６】
台座１５は、ベランダの天井面等の物干し位置上面に固定される。装着部材６は、台座１５に固定される。台座１５には水平溝１５１及び傾斜溝１５２が形成されている。装着部６は、水平溝１５１及び傾斜溝１５２のそれぞれを貫通した取付ネジ１５３，１５４を介して、物干し位置上面の傾斜角に応じた所定範囲内の角度を設けて台座１５に取り付けられる。
【００１７】
装着部材６には、下方から外側支柱１の上端部が外側支柱１の長手方向である矢印Ｙ方向に沿って外嵌する。外側支柱１は上下面が開放した筒体であり、下方から内部に内側支柱２が矢印Ｙ方向に沿って嵌入する。内側支柱２も、上下面が開放した筒体である。
【００１８】
竿掛部材３は、中央部に筒状の取付部３２を備えた板状体である。取付部３２は、内側支柱２の下端部に矢印Ｙ方向に沿って下方から外嵌した後、止めネジ３３を介して固定される。取付部３２の両側には、一例として２個ずつの開口３１が形成されている。開口３１には、物干し竿１００が挿入される。なお、開口３１は、上方に開放した凹部であってもよい。
【００１９】
操作部材４は、内側支柱２の下端面に露出して配置されている。操作部材４は、矢印Ｙ方向の操作のみを受け付ける。
【００２０】
装着部６は、物干し位置上面に固定された台座１５に対して、この発明の支柱を構成する外側支柱１及び内側支柱２の長手方向である矢印Ｙ方向が鉛直方向となるように、角度を調整して固定される。
【００２１】
図２は、外側支柱、内側支柱、竿掛部材及び操作部材の断面図である。外側支柱１の側面には、矢印Ｙ方向の中間部及び下端部に矢印Ｙ方向に沿って一例として３箇所に伸縮用孔部１１が形成されており、矢印Ｙ方向の上端部に着脱用孔部１２が形成されている。
【００２２】
内側支柱２の上端部には、伸縮用ラッチ５が第１の伝達部材７を介して矢印Ｙ方向に直交する矢印Ｘ方向に沿って移動自在にして保持されている。伸縮用ラッチ５は、３個の伸縮用孔部１１の何れかに選択的に嵌入することができる。伸縮用ラッチ５が何れかの伸縮用孔部１１に嵌入している状態では、少なくとも外側支柱１に対して内側支柱２を矢印Ｙ方向に沿って下方に移動させることができず、支柱を伸長させることができない。伸縮用孔部１１及び伸縮用ラッチ５が、この発明の規制部材に相当する。
【００２３】
内側支柱２の内部には、操作バー４１が長手方向を矢印Ｙ方向に平行にして収納されている。操作部材４は、操作バー４１の下端部に固定されている。操作バー４１の上端には、プッシャ４２が嵌着されている。プッシャ４２の外径は、内側支柱２の内径に略等しくされている。プッシャ４２の上面には、第１の伝達部材７が備えるスプリング７３の弾性力が矢印Ｙ方向に沿って下向きに作用している。
【００２４】
操作部材４は、内側支柱２内の下端部に形成された隔壁２１の孔部に嵌入している。スプリング７３の弾性力に抗して操作レバー４１を矢印方向に押圧操作すると、操作バー４１がプッシャ４２とともに内側支柱２の内部で矢印Ｙ方向に沿って上方に移動する。
【００２５】
なお、外側支柱1は、外側面をカバー１Ａによって被覆されている。
【００２６】
図３は、第１の伝達部材の斜視図である。第１の伝達部材７は、本体７１、傾斜カム７２、スプリング７３（図３には現れない。）、キャップ７６を備えている。本体７１は、中空筐体であり、側面に矢印Ｘ方向に平行な溝部７４が形成されている。本体７１は内部に伸縮用ラッチ５を収納しており、溝部７４に伸縮用ラッチ５から突出したピン５１が嵌入している。伸縮用ラッチ５は、溝部７４に沿って矢印Ｘ方向に移動自在に保持されている。
【００２７】
傾斜カム７は、一例として金属板をコの字型に折り曲げて構成されており、側面に傾斜溝７５が形成されている。傾斜カム７２は、本体７１の内部で矢印Ｙ方向に移動自在に保持されている。スプリング７３の下端は傾斜カム７２の水平面に当接している。傾斜カム７２は、スプリング７３の弾性力により、矢印Ｙ方向に沿って下方に付勢されている。傾斜溝７５には、伸縮用ラッチ５のピン５１が嵌入している。
【００２８】
キャップ７６は、略直方体形状を呈し、本体７１の上方で傾斜カム７２の上端に固定されている。
【００２９】
傾斜カム７２が本体７１に対して矢印Ｙ方向に沿って上下に移動すると、傾斜溝７４におけるピン５１の位置が変化し、伸縮用ラッチ５が矢印Ｘ方向に沿って移動する。
【００３０】
操作部材４が矢印Ｙ方向に沿って上方に押圧操作されていない状態では、傾斜カム７２はスプリング７３の弾性力によって下限位置にあり、ピン５１は傾斜溝７５の上端に位置している。このため、伸縮用ラッチ５は、本体７１から外部に露出した第１の露出位置にあり、図２に示した伸縮用孔部１１の何れかに嵌入できる状態にある。
【００３１】
この状態から、操作部材４が押圧操作されると、操作バー４１及びプッシャ４２が矢印Ｙ方向に沿って上方に移動し、傾斜カム７２を上方に押し上げる。これに伴って、ピン５１が、傾斜溝７５内を下端部に向かって移動し、伸縮用ラッチ５は、本体７１内の第１の退避位置に移動する。操作部材４の操作前に伸縮用孔部１１の何れかに嵌入していた伸縮用ラッチ５は、操作部材４の押圧操作によって伸縮用孔部１１に嵌入しなくなり、内側支柱２を外側支柱１に対して矢印Ｙ方向に沿って上下に移動させることができる状態になる。
【００３２】
なお、伸縮用ラッチ５の上面は、外側に向かって高さが低くなる傾斜面５２で構成されている。このため、傾斜面５２と伸縮用孔部１１の上側縁部との当接により、操作部材４を押圧操作することなく内側支柱２を外側支柱１に対して上方に移動させて支柱を収縮させることがでる。傾斜面５２は必須の構成ではない。傾斜面５２がない場合には、操作部材４を押圧操作することで、内側支柱２を外側支柱１に対して上方に移動させることができる。
【００３３】
図４は、支柱を最も収縮させた使用状態での伸縮型物干し装置の上部の断面図である。装着部材６には、第２の伝達部材８を介して着脱用ラッチ９が矢印Ｘ方向に沿って移動自在に保持されている。着脱用ラッチ９は、伸縮用ラッチ５と同一形状を呈し、矢印Ｘ方向について上下対称に配置されている。
【００３４】
第２の伝達部材８は、本体８１、傾斜カム８２、スプリング８３、伝達ネジ８４を備えている。本体８１、傾斜カム８２、スプリング８３は、それぞれ第１の伝達部材７の本体７１、傾斜カム７２、スプリング７３と同一の構成にされている。
【００３５】
したがって、傾斜カム８２はスプリング８３の弾性力によって矢印Ｙ方向に沿って下方に付勢されている。傾斜カム８２が下限位置にある状態では、着脱用ラッチ９のピン９１が図示しない傾斜溝の上端部に位置し、着脱用ラッチ９は第２の露出位置にあって外側支柱１に形成されている着脱用孔部１２に嵌入している。これによって、内側支柱２及び竿掛部材３とともに外側支柱１が装着部材６に固定された状態が維持される。
【００３６】
この状態から、傾斜カム８２がスプリング８３の弾性力に抗して矢印Ｙ方向に沿って上方に移動すると、着脱用ラッチ９のピン９１が図示しない傾斜溝内を下端部に向かって移動し、着脱用ラッチ９は第２の退避位置に移動して外側支柱１に形成されている着脱用孔部１２に嵌入しなくなる。この結果、外側支柱１が装着部材６に固定された状態が解除され、外側支柱１を内側支柱２及び竿掛部材３とともに装着部材６から取り外すことができる。
【００３７】
なお、伝達ネジ８４は、傾斜カム８２に下方から螺合しており、下端部が本体８１の下方に延出している。
【００３８】
図４に示すように、支柱が最も収縮した使用状態、即ち伸縮用ラッチ５が最上部の伸縮用孔部１１に嵌入している状態で、キャップ７６の上面と伝達ネジ８４の下端との間には矢印Ｙ方向に間隙Ｄが設けられている。内側支柱２は、図示しないストッパにより、伸縮用ラッチ５が最上部の伸縮用孔部１１に嵌入している最も収縮した使用状態から、外側支柱１に対してさらに間隙Ｄだけ上方の上限位置まで移動可能にされている。伸縮用ラッチ５に設けられた傾斜面５２により、この上方への移動には操作部材４の押圧操作を必要としない。内側支柱２を上限位置まで上方に移動させると、キャップ７６の上面が伝達ネジ８４の下端に当接する。
【００３９】
キャップ７６の上面が伝達ネジ８４の下端に当接した状態で、操作部材４を押圧操作すると、操作バー４１及びプッシャ４２を介して傾斜カム７２がキャップ７６とともに上方に移動し、キャップ７６が伝達ネジ８４を傾斜カム８２とともに上方に移動させる。これによって、着脱用ラッチ９が第２の露出位置から第２の退避位置に移動し、外側支柱１を内側支柱２及び竿掛部材３とともに装着部材６から取り外すことができる。
【００４０】
なお、着脱用ラッチ９には下面に傾斜面９２が形成されており、外側部材１の上端面と傾斜面９２との当接によって着脱用ラッチ９を第２の露出位置から第２の退避位置に移動させることができる。このため、操作部材４を押圧操作することなく外側支柱１を装着部材６に下方から外嵌させて装着部材６に装着することができる。但し、傾斜面９２は必須の構成ではない。着脱用ラッチ９が傾斜面９２を備えない場合には、外側支柱１を装着部材６に外嵌させた状態で内側支柱１を上限位置まで上昇させて操作部材４を押圧操作することで、外側支柱１を装着部材６に装着することができる。
【００４１】
以上のように、内側支柱２を上限位置に上昇させた状態で、内側支柱２を外側支柱１に対して伸長させる際の操作部材４の操作と同一の操作を行うことで、外側支柱１を装着部材６から取り外すことができる。支柱を伸縮させる際の操作部材の操作と同一の操作で支柱を着脱することができ、操作を簡略化できる。
【００４２】
また、第１の伝達部材及び第２の伝達部材は、ともに矢印Ｙ方向に沿う方向の移動によって伸縮用ラッチ５及び着脱用ラッチ９を矢印Ｘ方向に沿って移動させるものであるため、構造を簡略化することができる。特に、伸縮用ラッチ５、本体７１、傾斜カム７２及びスプリング７３をそれぞれ着脱用ラッチ９、本体８１、傾斜カム８２及びスプリング８３と同一形状にすることができ、設計の簡略化及び部品数の削減によるコストダウンを実現できる。
【００４３】
図５は、上記伸縮型物干し装置の要部の断面図である。竿掛部材３の取付部３２は、スペーサ３４を介して内側支柱２の下端部に外嵌する。スペーサ３４は、一例として樹脂を素材として上下面が開放した中空截頭円錐形状に形成されている。スペーサ３４は、内側支柱２の下端部に下方から外嵌する。
【００４４】
内側支柱２及び竿掛部材３は、十分な強度が要求されるため、例えばアルミニウム合金等の金属材料で形成することが考えられる。この場合に、竿掛部材３の取付部３２を内側支柱２の下端部に外嵌させること、及び内側支柱２の下端部に操作部材４を配置することが難しい。
【００４５】
そこで、樹脂製のスペーサ３４を介在させて内側支柱２の下端部外周面に竿掛部材３の取付部３２を容易に取り付けることができるようにするとともに、スペーサ３４に隔壁２１を形成して操作部材４を内側支柱２の下端部に支持できるようにしている。
【００４６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００４７】
【図１】この発明の実施形態に係る伸縮形物干し装置の支柱を最も伸長させた状態の舐め下方から見た外観図である。
【図２】外側支柱、内側支柱、竿掛部材及び操作部材の断面図である。
【図３】第１の伝達部材の斜視図である。
【図４】支柱を最も収縮させた使用状態での伸縮型物干し装置の上部の断面図である。
【図５】上記伸縮型物干し装置の要部の断面図である。
【符号の説明】
【００４８】
１−外側支柱
２−内側支柱
３−竿掛部材
４−操作部材
５−伸縮用ラッチ
６−装着部材
７−第１の伝達部材
８−第２の伝達部材
９−着脱用ラッチ
１０−伸縮型物干し装置
【要約】
【課題】支柱が最も収縮した状態では支柱を伸縮させる際と同一の操作によって支柱の保持を解除させ、構造を簡略化できるとともに操作を容易化する。
【解決手段】内側支柱２に伝達部材７を固定し、装着部材６に伝達部材８を固定した。伝達部材７は、外側支柱１の伸縮用孔部１１に嵌入する伸縮用ラッチ５を保持する。伝達部材８は、外側支柱１の着脱用孔部１２に選択的に嵌入する着脱用ラッチ９を保持する。操作部材４を押圧操作すると操作バー４１及びプッシャ４２が伝達機構７の傾斜カム７２を押し上げ、伸縮用ラッチ５が伸縮用孔部１１から退避し、内側支柱２が移動可能になる。内側支柱２が最も上方に位置する状態で操作部材４を押圧操作すると、傾斜カム７２の上端に固定されたキャップ７６が伝達部材８の傾斜カム８２を押し上げ、着脱用ラッチ９が孔部１２から退避し、装着部材６から外側支柱１を取り外すことができる。
【選択図】  図４【図１】
0004195908.tif 000002
【図２】
0004195908.tif 000003
【図３】
0004195908.tif 000004
【図４】
0004195908.tif 000005
【図５】
0004195908.tif 000006